(57)【要約】【課題】  防水性を高めると共に使い易いメニューを提供する。【解決手段】  透明な袋体２内には開口部２ａを通じて出し入れ可能であるメニュー用紙４を収納してあり、袋体内には開口部２ａを密閉するための２段の封止用チャック３ａ，３ｂを設けてあり、各封止用チャック３ａ，３ｂが袋体２の幅方向に沿って幅全長に亘ってそれぞれ配置され、かつチャック用凹部３ａ２，３ｂ２と、各チャック用凹部に離脱可能に嵌め込んであるチャック用凸部３ａ１，３ｂ１とからなるものである。【選択図】        図１
0003163263.tif 000002
【実用新案登録請求の範囲】
【請求項１】
開口部を有する袋体と、この袋体内に上記開口部に設けてあって、この開口部を密閉可能である封止用チャックと、上記袋体内に上記開口部を介して収納可能であるメニュー用紙と備えており、
上記封止用チャックは上記袋体の幅方向に沿って幅全長に亘って設けてある複数段で構成されており、
上記各封止用チャックはチャック用凹部と、このチャック用凹部に離脱可能には嵌め込んであるチャック用凸部とからなる
ことを特徴とする飲食店用のメニュー。
【請求項２】
封止用チャックは２段からなり、互いに隣接して配置されていることを特徴とする請求項１記載の飲食店用のメニュー。
【請求項３】
袋体の縁部に案内項目を表示するための案内部を突出してあることを特徴とする請求項１又は請求項２記載の飲食店用のメニュー。
【請求項４】
袋体の開口端の上端辺縁部に案内項目を表示するための案内部を設けてあることを特徴とする請求項１又は請求項２記載の飲食店用のメニュー。
【請求項５】
袋体の開口端の上端辺縁部に袋状の案内部を突出してあり、この案内部内に案内項目を表示してある案内用紙を差し込み口を通じて収納してあることを特徴とする請求項１又は請求項２記載の飲食店用のメニュー。
【請求項６】
袋体の幅方向の縁部に取付け片を突出してあることを特徴とする請求項１乃至請求項５のいずれかに記載の飲食店用のメニュー。
【考案の詳細な説明】
【技術分野】
【０００１】
この考案は、飲食店において利用されるメニューに関するものである。
【背景技術】
【０００２】
飲食店用のメニューに関連する技術として、本出願人は実用新案登録第３１１７２４７号公報ではメニューブック及び同第３１５４７６７号公報ではメニューホルダー（以下「従来例１及び従来例２」という。）をそれぞれ提案した。
従来例１は、カバー部の内側に綴じ具によってメニューファイルを取り外し可能に取り付け、メニューファイルにおける透明な袋状のファイル部の開口部からメニュー用紙を差し入れて収納するものである。
従来例２は、カバー部が折り込み部を中心として折り込み可能であって、この折り込み部の内面にメニュー表示ファイルを磁気的固定手段の磁着片と被磁着片を介して着脱可能に取り付け、上記メニュー表示ファイル内にメニュー用紙を開口部から差し入れて収納するものである。上記磁着片は折り込み部の両端に取り付けられ、この磁着片の磁気力によってメニュー表示ファイルの一側端辺に設けてある被磁着片を吸着するものである。
【先行技術文献】
【特許文献】
【０００３】
【特許文献１】実用新案登録第３１１７２４７号公報
【特許文献２】実用新案登録第３１５４７６７号公報
【考案の概要】
【考案が解決しようとする課題】
【０００４】
従来例１は、カバー部の綴じ具にメニューファイルを取り外し可能に取り付けているので、嵩張らず、保管や使用がしやすい。また、従来例２は、カバー部には折り込み部に磁気固定手段を介してメニュー表示ファイルを着脱可能に取り付けているので、メニュー表示ファイルの着脱を簡易にすることができる。
従来例１及び従来例２にはいずれも上記利点があるが、解決すべき課題としてはメニューの防水性である。すなわち、従来例１ではファイル部の開口部から、従来例２ではメニュー表示ファイルの開口部から水分又は水滴が浸入しやすく、浸入するとメニュー用紙の汚染や短命化を招くことである。もちろん、メニュー用紙を収納した状態でファイル部及びメニュー表示ファイルを完全に密閉すれば良いが、完全密閉ではメニュー用紙の交換ができないから扱い難い新たな課題が発生する。
この考案の目的は、防水性を高めると共に使い易いメニューを提供することにある。
【課題を解決するための手段】
【０００５】
この考案に係る飲食店用のメニューは、開口部を有する袋体と、この袋体内面に上記開口部を密閉可能に設けてある封止用チャックと、上記袋体内に上記開口部を介して収納可能であるメニュー用紙と備えている。上記封止用チャックは、上記袋体の幅方向に沿って幅全長に亘って設けてある複数段（２段又は３段以上）で構成されている。上記各封止用チャックはチャック用凹部と、このチャック用凹部に離脱可能には嵌め込んであるチャック用凸部とからなる。
メニューが用途別に用意される場合には、メニュー内容の識別を容易にするために、上記袋体の縁部（例えば開口端の上端辺縁部など）に案内項目を表示するための案内部を突出しておけば、この案内部がインデックスの機能を発揮することになる。さらに、上記案内部として、この案内部内に案内項目を表示してある案内用紙を差し込み口を通じて収納する構成とすれば、メニュー用紙の変更に応じて案内用紙を交換すれば良いから、袋体を含めた全てのメニューの変更をする必要がない。
【考案の効果】
【０００６】
この考案のメニューによれば、袋体の開口部を複数段の封止用チャックで密閉することができるので、確実に袋体内への浸水を阻止することができ、防水性が高められ、また、密閉性を確保しながら、封止用チャックの開閉操作がし易いので、袋体からのメニュー用紙の出し入れが簡単となり、メニューの扱いが容易である。
【図面の簡単な説明】
【０００７】
【図１】この考案に係る飲食店用のメニューの第１の実施形態を示す一部切欠正面図である。
【図２】図１のＩＩ−ＩＩ線拡大断面図であって、中間を省略している図である。
【図３】図１における飲食店用のメニューの袋体を示す一部切欠正面図である。
【図４】この考案に係る飲食店用のメニューの第２の実施形態を示す一部切欠正面図である。
【考案を実施するための形態】
【０００８】
この考案に係る飲食店用のメニューの第１の実施形態を図１〜図３を参照して説明する。
図１及び図２に示すメニュー１は、開口部２ａを有する袋体２と、この袋体内面に設けてあってかつ上記開口部を密閉可能である複数段の封止用チャック３ａ，３ｂと、上記袋体内に上記開口部を介して収納可能であるメニュー用紙４と備えている。
【０００９】
袋体２は、図１及び図２に示すように上端に開口部２ａを有するプラスチック製のものである。袋体２は、その内部に開口部２ａを介してメニュー用紙４を収納可能である大きさを備えている。袋体２は、２枚の透明な長方形状のシート２ｂ，２ｃを重ねて、重ねられている双方のシートの上端辺を除く他の三端辺を溶着して袋状にしたものである。２ｄは溶着部である。
【００１０】
各封止用チャック３ａ，３ｂは、袋体２の開口部２ａを開閉かつ上記袋体の内部を密閉するための封止手段である。各封止用チャック３ａ，３ｂは、袋体２の幅方向（図１左右方向）に沿って幅全長に亘って設けてあって、図示の例では２段としている。上下２段の各封止用チャック３ａ，３ｂは互いに隣接して配置されており、また、いずれもチャック用凹部３ａ２，３ｂ２と、各チャック用凹部に離脱可能には嵌め込んであるチャック用凸部３ａ１，３ｂ１とからなる。
図２に示すように、上段の封止用チャック３ａにおいて、チャック用凸部３ａ１は背面側のシート２ｃ内面に、チャック用凹部３ａ２は正面側のシート２ｂ内面にそれぞれ形成してある。チャック用凸部３ａ１は、チャック用凹部３ａ２内に密着状態にかつ離脱可能に嵌合されている。また、下段の封止用チャック３ｂにおいて、チャック用凸部３ｂ１は背面側のシート２ｃ内面に、チャック用凹部３ｂ２は正面側のシート２ｂ内面にそれぞれ形成してある。チャック用凸部３ｂ１は、チャック用凹部３ｂ２内に密着状態にかつ離脱可能に嵌合されている。
【００１１】
袋体２の開口端の上端辺縁部に袋状の案内部５を上方に向けて突出してある。案内部５は、図２に示す例では袋体２の背面側のシート２ｃの開口端の上端辺の縁部に溶着によって取付けられている。案内部５は、図３に示すように上端辺と図右側端辺が溶着部５ｂによって溶着されており、図左側辺が差し込み口５ａとして開けてある。案内部５内には、差し込み口５ａを通じて案内用紙６を差し入れてある。案内用紙６は、メニュー用紙４に記載されているメニュー項目を一目で顧客に理解できるようにするためのインデックスである。
案内用紙６には、案内項目としてメニュータイトル７を、例えばメニュー用紙４のメニュー項目がランチメニューを示すものであれば「ＬＵＮＣＨ」（図１及び図３参照）、中華料理に関するものであれば「中華」、お肉料理を示すものであれば「肉料理」、モーニングサービスメニューを示すものであれば「モーニング」、お酒を示すものであれば「酒」を、飲み物であれば「ＤＲＩＮＫ」をそれぞれ印刷などの手段によって表示してある。
メニューを用途別にする必要がない場合には、案内用紙６には案内項目として、例えば店名などを表示する。
【００１２】
メニュー１の使用に際して、用途別にメニューを複数用意する必要があれば、用途別の各メニュー用紙４をそれぞれの袋体２内に収納し、各袋体の案内部５内に用途に応じたメニュータイトル７を表示してある案内用紙６を入れておく。
このようにすれば、各種のメニュー１がテーブル上に重ねられて置かれていても、案内部５を通して目視することができる案内用紙６のメニュータイトル７によって、各メニューの内容の把握が容易となる。この結果、使用者にとって保管や顧客への対応がしやすくなり、また顧客も希望するメニュー項目の種類の特定が素早くできる。
【００１３】
この考案に係る飲食店用のメニューの第２の実施形態について図４を参照して説明する。
図示するメニュー１１は前記メニュー１とその基本構成が同一であるので、メニュー１と対応する構成部分を示す符号をメニュー１の説明に用いた符号をそのまま使用する。
メニュー１１の特徴は、使用者の保管及び利用をし易くするために、袋体２の幅方向の一方（左方）の縁部に取付け片１８を設けていることである。
取付け片１８には取付け孔１８ａを開けてある。取付け片１８をファイルの綴じ具（図示せず。）に取付け孔１８ａを通じて、メニュー１１を取付ける。また、メニュー１１が複数ある場合には、上記ファイルに各メニューを取り付けておけば、メニューが束ねられた状態で保管されるので、整理上都合が良く、保管や取扱いがし易いと共に、使用時に顧客にとってもメニューを一括して扱うことができ、識別が容易となる。
【００１４】
図示するメニュー１，１１によれば、袋体２の開口部２ａを複数段（図では２段）の封止用チャック３ａ，３ｂで密閉しているので、例えばテーブル上に置かれたメニューの使用中に水をこぼしても、上段の封止用チャック３ａに水漏れがあっても、下段の封止用チャック３ｂで袋体内への浸水を阻止することができるから、防水性が高められる。また、密閉性を確保しながら、各封止用チャック３ａ，３ｂによる密閉手段が凹凸による嵌合・離脱の構成であるから、開口部２ａの開閉操作がし易く、袋体からのメニュー用紙４の出し入れが簡単となるから、メニューの扱いが容易である。
【００１５】
メニュー１，１１の案内部５の取付け位置は図示の例に限定されない。すなちわ、図１及び図４において、案内部５は袋体２の開口部縁部（シート２ｃの上端辺の縁部）に取付けているが、図１に示すメニュー１では袋体の両側辺の一方の縁部又は下辺の縁部であっても良く、図４に示すメニュー１１では袋体の右側辺の縁部又は下辺の縁部であっても良い。また、案内部５は、案内用紙６を差し入れて、これを交換可能とする構成である。交換可能にすれば、メニュー用紙４のメニュー項目に対応した案内項目が表示されている案内用紙を差し替えるだけで、メニュー用紙の変更に際して袋体を含めてメニュー全体を変更する必要がない。もっとも、メニュー用紙を交換可能な構成とする上例に限定されず、メニュー用紙を案内部内に密封するもの、又は案内部自体に案内項目を表示するものであっても良い。
【符号の説明】
【００１６】
１，１１            メニュー
２                  袋体
２ａ                開口部
２ｂ，２ｃ          シート
３ａ，３ｂ          封止用チャック
３ａ１，３ｂ１      チャック用凸部
３ａ２，３ｂ２      チャック用凹部
４                  メニュー用紙
５                  案内部
５ａ                差し込み口
６                  案内用紙
７                  メニュータイトル（案内項目）
１８                取付け片
１８ａ              取付け孔
【図１】
0003163263.tif 000003
【図２】
0003163263.tif 000004
【図３】
0003163263.tif 000005
【図４】
0003163263.tif 000006